(57)【要約】【課題】  本願発明の解決課題は、従来の接木方法に比べて作業が容易であり、作業性がよく、作業台がよごれず、共台にも適した接木方法と、その方法によって得られた接木苗を提供することにある。【解決手段】  本願発明の接木方法は、台木の茎にその外周から茎の中心に向けて斜め下向きに切込みを入れ、前記台木に接合する穂木の茎を斜めに切断して断根し、前記穂木の切断面を台木の切込みに挿し込んで、穂木の切断面と台木の切込み面を接合し、その接合部分を茎の外周から固定具によって固定する方法である。台木の根は切断することも、残しておくこともできる。穂木の茎をその周方向二以上の方向から斜めに切断することもできる。本願発明の接木苗は、前記いずれかの接木方法によって接木されたものである。【選択図】図１
2011087505.tif 000002
【特許請求の範囲】
【請求項１】
台木と穂木の接木方法において、
台木の茎にその外周から茎の中心に向けて斜め下向きに切込みを入れ、
前記台木に接合する穂木の茎を斜めに切断して断根し、
前記穂木の切断面を台木の切込みに挿し込んで、穂木の切断面と台木の切込み面を接合し、
その接合部分を茎の外周から固定具によって固定する、ことを特徴とする接木方法。
【請求項２】
請求項１記載の接木方法において、
台木の根を切断し又は残しておく、ことを特徴とする接木方法。
【請求項３】
請求項１又は請求項２記載の接木方法において、
穂木の茎をその周方向二以上の方向から斜めに切断する、ことを特徴とする接木方法。
【請求項４】
請求項１乃至請求項３のいずれかに記載の接木方法によって接木された、ことを特徴とする接木苗。
【発明の詳細な説明】
【技術分野】
【０００１】
本願発明は苗、特に野菜類の苗の接木方法及びその方法により得られる接木苗に関するものである。
【背景技術】
【０００２】
野菜苗の多くは、キュウリのブルームレス化や、土壌病害対策、樹勢対策などを目的として接木が行われている。接木方法には各種あり、その一つとして呼接ぎ、断根挿接ぎといった方法がある。
【０００３】
呼接ぎは図５（ａ）、（ｂ）に示すように、台木Ａの茎に斜め下向きに切込みＤを入れ、その台木Ａに接続する穂木Ｂの茎に台木Ａに入れた切込みＤとは逆向き（斜め上向き）の切込みＥを入れ、それら切込みＤ、Ｅに台木Ａと穂木Ｂの切込み片を差挿し込んで切込み面同士を接合させ、その接合部分の外周を固定具Ｆで固定して接木する方法である。呼接ぎによる接木方法は台木Ａと穂木Ｂに根が付いた状態で行われる。
【０００４】
断根挿接ぎは図６（ａ）〜（ｃ）に示すように、台木Ａと穂木Ｂの双方の根を切断し、台木Ａの本葉Ｇを掻き取り、その部分から台木Ａの茎Ｈの軸方向斜め下方に挿し込み穴Ｉを開け、その挿し込み穴Ｉに穂木Ｂを挿し込む方法であり、現在多く採用されている接木方法の一つである。
【発明の概要】
【発明が解決しようとする課題】
【０００５】
前記呼接ぎによる接木方法には次のような課題があった。
（１）台木及び穂木に接合用の切込みを入れる場合、茎を切断しないように切込みを入れるためには熟練が必要であり、作業者の経験や熟練度によって切り込み本数と品質に大きな差が生じる。
（２）切込みは台木のみならず穂木にも入れなければならないため、作業に非常に手間がかかる。
（３）台木及び穂木に根が付いたままであるため、切込みを入れる際に根が邪魔になり、作業しづらい。根に着いた土や水分によって作業台が汚れる。
【０００６】
前記断根挿接ぎによる接木方法には次のような課題があった。
（１）挿し込み穴の開口には熟練した技術が要求され、経験や熟練度によって穴あけ本数と品質に差が生じる。
（２）スイカやメロンのように台木と穂木に同種の植物を使用する共台の場合、茎の太さが同程度であるため、挿し込み孔の開口や穂木の挿し込み作業が非常に困難である。
【０００７】
本願発明の解決課題は、前記諸課題を解決でき、作業性がよく、作業台がよごれず、共台にも適した接木方法と、その方法によって得られた接木苗を提供することにある。
【課題を解決するための手段】
【０００８】
本願発明の接木方法は、請求項１記載のように、台木の胚軸又は主枝（以下、胚軸と主枝をまとめて「茎」という。）にその外周から茎の中心に向けて斜め下向きに切込みを入れ、前記台木に接合する穂木の茎を斜めに切断して断根し、前記穂木の切断面を台木の切込みに挿し込んで、穂木の切断面と台木の切込み面を接合し、その接合部分を茎の外周から固定具によって固定する方法である。請求項２記載のように、前記接木方法では、台木の根は切断することも、残しておくこともできる。請求項３記載のように、前記接木方法において、穂木の茎をその周方向二以上の方向から斜めに切断することもできる。
【０００９】
本願発明の接木苗は、請求項４記載のように、前記接木方法によって接木されたものである。
【発明の効果】
【００１０】
本願発明の接木方法には、次のような効果がある。
（１）切込みを台木にだけ入れればよく、台木と穂木の双方に切込みを入れる呼接ぎによる接木方法に比して作業時間がかからないため、台木、穂木が断根されていても萎れが少ないうちに接木作業ができ、接木が活着し易くなり、接木の歩留まりも向上する。
（２）断根挿接ぎによる接木方法のように、挿し込み穴の開口作業が必要ないので、断根挿接ぎによる接木方法に比して熟練を要せずに接木作業を行うことができる。
（３）台木を断根した場合、穂木と台木の双方が断根されるので、台木に切込みを入れる際や穂木を切断する際に、呼接ぎのように根が邪魔になることがなく作業し易く、根に着いた土や水分によって作業台が汚れることもない。
【００１１】
本願発明の接木苗は、萎れが少ないうちに接木された接木苗であるため、活着、発根、生育が良好であるという効果がある。
【図面の簡単な説明】
【００１２】
【図１】本願発明の接木苗の一例を示すものであって、（ａ）はその斜視図、（ｂ）は台木の子葉と接木の葉の位置関係を説明する平面説明図。
【図２】本願発明の接木方法の実施形態の一例であって、（ａ）は台木の切込み形成工程の説明図、（ｂ）は穂木の切断工程の説明図、（ｃ）は台木に穂木を挿し込む工程の説明図、（ｄ）は台木と穂木の接合部分を固定する工程の説明図。
【図３】（ａ）は台木への切込み形成箇所の説明図、（ｂ）は穂木の切断方向説明図、（ｃ）は台木の切込み角度と切込み幅の説明図。
【図４】穂木の茎の切断方法の異なる例を示すものであって、（ａ）は斜め下向きに切断した茎の側面図、（ｂ）はその底面図、（ｃ）は反対側両面からＶ字状に切断した茎の側面図、（ｄ）はその底面図、（ｅ）は周方向４方向から切断した茎の側面図、（ｆ）はその底面図。
【図５】従来の呼接ぎによる接木方法の一例であって、（ａ）は互いに逆向き斜めの切込みを入れた台木と穂木の説明図、（ｂ）は台木と穂木の接木説明図。
【図６】従来の断根挿接ぎによる接木方法の一例であって、（ａ）は台木から本葉を掻き取る工程の説明図、（ｂ）は台木に挿し込み穴をあける工程の説明図、（ｃ）は穂木を台木に挿し込む工程の説明図。
【発明を実施するための形態】
【実施例１】
【００１３】
本願発明の接木方法と接木苗の実施例を図１〜図３に基づいて説明する。この接木方法は、根を切断（断根）された台木１の茎２にその外周面から胚軸中心に向けて斜め下向きに切込み３を入れ、断根された穂木４の茎５を台木１の切込み３と同じ向き（斜め下向き）に切断し、その穂木４をその切断面７を下向きにして台木１の切込み３に挿し込んで、台木１の切込み面３ａと穂木４の切断面７を接合し、台木１と穂木４の接合部分８の外周を固定具９によって固定する方法である。本実施例は台木１として干瓢の苗を、穂木４として西瓜の苗を使用する場合を例にして説明する。
【００１４】
（台木の切込み）
台木１として干瓢の苗を用意し、その苗を断根し、本葉１０を掻き取る。台木１の茎２の外周面に刃物Ｃ（切れ味の良い薄刃のカミソリ）をあて、胚軸中心（茎２の中心）に向けて斜め下向きに切込み３を入れる（図２（ａ））。切込み３は、茎２を完全に切断しないように、茎２の外周面から台木径の３分の１〜３分の２程度までの深さとしてある（図３（ｃ））。この切込み３の深さは、穂木４を接合したときに穂木４が不用意に脱落しないように穂木４を安定的に保持できる程度の深さとしておくことが好ましく、この条件を満たす限り、切込み３を前記範囲より深くすることも、浅くすることもできる。より具体的には、茎２の外周面から台木径の５分の１〜５分の４程度の深さとすることができる。切込み３の形成にはカミソリ以外の刃物を使用することができるが、その場合もカッター、ナイフ等であって、切れ味の良い薄刃のものを使用することが好ましい。なお、台木１は、刈り取り後に長さ調整したものを多数用意しておき、接木する前に切込み３を入れるようにすると作業性がよい。
【００１５】
台木１の切込み３は、その切込み３に挿し込まれた穂木４をできるだけ縦向きに（台木１の軸に沿って）挿し込むことができ、且つ、挿し込まれた穂木４が不用意に脱落しないように穂木４を安定的に保持できる角度（栽培床に対して垂直に近い状態で保持できるような角度）とすることが望ましく、例えば、茎２の軸に対する刃物Ｃの入射角θ（図３（ｃ））が約10°〜60°程度（鋭角）であることが望ましい。切込み３の入射角θは前記範囲に限らず、苗の種類、茎の太さ、茎の長さ等に応じて前記範囲より広くすることも狭くすることもできる。切込み３の傾斜角度を鋭角とした場合、切込み３の断面積が広くなり、穂木４への水分や養分の供給がし易くなるという効果が期待できる。
【００１６】
台木１の切込み３は、穂木４を台木１に接合した際に、台木１の子葉１１と穂木の葉１２同士が十字を形成するような位置から斜め下向きに形成することが望ましい。より具体的には、図３（ａ）に示すように、茎２の周方向のうち、台木１の２枚の子葉１１が開いている方向（図３（ａ）Ｎ−Ｎ´線方向）と交差する方向（図３（ａ）Ｍ−Ｍ´線方向）の一方（この実施例では図３（ａ）のＭ´方向）から茎２の中心に向けて斜め下向きに形成する。本実施例では、切込み３を台木１の子葉１１より下に形成しているが、切込み３の形成位置は任意に選択することができ、例えば、ナス科の植物においては、子葉１１と本葉１０の間や本葉１０の上方に形成することもできる。
【００１７】
（穂木の切断）
穂木４として西瓜の苗を用意し、その穂木４の茎５を、根６を完全に取り除くことができる位置から刈り取り、その刈り取った穂木４の茎５を斜め下向きに切断する（図２（ｂ））。穂木４は、その足の部分が長すぎると台木１に接合した際に穂木４がふらついて安定しなくなるため、台木１に接合した際に穂木４がふらつかない長さに切断することが望ましい。この場合、台木１の切込み３が茎２の低い位置に形成されていると、穂木４の葉１２が台木１の子葉１１よりも低くなってしまうおそれがあるため、台木１の切込み３は、穂木４を接合した際に穂木４の葉１２が台木１の子葉１１よりも高くなる位置に形成することが好ましい。穂木４の茎５は刃物Ｃを使って手作業で切断することも切断装置を使って自動で切断することもできる。また、穂木４は予め断根されているものを多数用意しておき、接木する前にその茎を斜め下向きに切断することもできる。
【００１８】
切断面７の傾斜角度は台木１の切込み３の傾斜角度θ（図３（ｃ））と同じ又は同程度にして、穂木４の切断面７が台木１の切込み３の切込み面３ａと面接触できるようにするのが望ましい。穂木４と台木１を夫々の茎の軸に対して鋭角に切断し、切込み３を入れれば、切断面７と切込み面３ａの夫々の断面積が広がり、穂木４を挿し込んだときの穂木４と台木１との接触面積が広くなって、穂木４に水分や養分が供給され易くなり、活着もしやすくなる。
【００１９】
穂木４の茎５は、穂木４の葉１２が開く方向（図３（ｂ）のＰ−Ｐ´線）上のいずれか一方（この実施形態では図３（ｂ）のＰ´方向）から斜め下向きに切断してある。穂木４は子葉１２が開く方向（図３（ｂ）のＰ−Ｐ´線）と交差する方向（図３（ｂ）のＱ−Ｑ´線）のいずれか一方から斜めに切断することもできる。
【００２０】
前記実施形態では、穂木４を一方向から切断して、図４（ａ）、（ｂ）のように斜め下向きの切断面７を一面だけにしてあるが、穂木４は茎５の周方向二方向（例えば図３（ｂ）のＱ−Ｑ´線の両方向）から斜め下向きに切断して図４（ｃ）、（ｄ）のように側面形状Ｖ字状にして、穂木４を台木１の切込み３に挿し込み易くすることもできる。図４（ｅ）、（ｆ）のように、茎５の周方向四方向から斜め下向きに好ましい面数に切断することもできるが、台木１の切込み３の接合面は２面であるため、穂木４も１又は２面となるようにすることが望ましい。
【００２１】
図４（ａ）〜（ｆ）のいずれの形状に切断する場合であっても、台木１の切込み３に穂木４の切断部分を挿し込んだときに、穂木４の葉１２が台木１の子葉１１に重ならないようにすることが望ましい。そのためには、例えば、切込み３を台木１の茎２から下方（根側）に離れた位置に形成し、穂木４の足の長さｌ（図２（ｂ））を台木１の子葉１１から切込み位置までの寸法Ｌ（図２（ａ））よりも短くすることができる。
【００２２】
（穂木と台木の接合）
台木１の切込み３に穂木４を挿し込んで（図２（ｃ））、台木１の切込み面３ａと穂木４の切断面７を面接触させ、その接合部分８を茎の外周から固定具９によって固定する（図２（ｄ））。この場合、台木１の子葉１１が図１（ｂ）のＸ−Ｘ´方向に開くように、穂木４の葉１２が図１（ｂ）のＹ−Ｙ´方向に開くように接合させることが好ましい。固定具９は接合部分８を固定できるものであれば既存の接木用クリップ、チューブ、テープ、紐等の適宜のものを使用することができる。
【００２３】
本実施例では、台木１の切込み３をその台木１の子葉１１が開く方向に交差する方向（図３（ａ）のＭ´方向）から茎２の中心に向けて斜め下向きに入れ、穂木４の茎５をその葉１２が開く方向と同じ方向（図３（ｂ）のＰ´方向）から斜め下向きに切断してあるため、穂木４を台木１に接合した場合に、穂木４の葉１２と台木１の子葉１１が重ならず（図１（ｂ））、通気性がよくなるだけでなく、台木１の子葉１１が光合成を行うのに必要な光量確保も容易になる。
【００２４】
（接木苗の養生）
台木１に穂木４を挿し込んで固定具９で固定した接木苗１３は、プラグ苗用のセルトレイや、出荷用の容器（ポット）１４内の培土に挿し、萎れないように水分量、温度、湿度等を適切な状態に保った環境下で養生する（図１）。養生された接木苗１３は、注文された生育状態まで成長した段階で随時出荷できるようにしてある。
【００２５】
（その他の実施例）
前記実施例は、台木１として干瓢の苗を、穂木４として西瓜の苗を使用する場合を一例として説明しているが、台木１、穂木４として使用する苗はこれら以外のものでもよく、例えば、キュウリ、ウリ、メロンといったウリ科の果菜植物の苗を使用することができる。この場合、台木１と穂木４として同種類の苗（共台）を使用することもできる。前記実施例では、台木１の根を切断した場合について説明しているが、台木１を断根せずに作業することもできる。
【００２６】
前記実施例では、台木１の子葉１１が開く方向に交差する方向から茎２の中心に向けて斜め下向きに切込み３を入れてあるが、子葉１１が開く方向と同じ方向から斜め下向きに入れることもできる。この場合、穂木４の葉１２と台木１の子葉１１が重ならないように、穂木４の茎５をその葉１２が開く方向と交差する方向から斜め下向きに切断することが好ましいが、穂木４の葉１２と台木１の子葉１１が重なるように下向きに切断してもよい。
【符号の説明】
【００２７】
１    台木
２    台木の茎
３    切込み
３ａ  切込み面
４    穂木
５    穂木の茎
６    根
７    切断面
８    接合部分
９    固定具
１０    台木の本葉
１１    台木の子葉
１２    穂木の葉
１３    接木苗
１４    ポット
Ａ    台木
Ｂ    穂木
Ｃ    刃物
Ｄ    切込み（穂木）
Ｅ    切込み（台木）
Ｆ    固定具
Ｇ    台木の本葉
Ｈ    台木の茎
Ｉ    挿し込み穴
【図１】
2011087505.tif 000003
【図２】
2011087505.tif 000004
【図３】
2011087505.tif 000005
【図４】
2011087505.tif 000006
【図５】
2011087505.tif 000007
【図６】
2011087505.tif 000008